(57)【要約】【課題】  よりコンパクトな封印機構を用いて、悪戯を回避し、吐出器の未使用を容易に判断することができるとともに、美観上も優れた吐出器の封印機構を提供すること。【解決手段】  装着キャップにより容器本体内に下端を垂下させた状態でシリンダを固定し、シリンダ上端に補助キャップを嵌着させた固定吸引部と、ノズルを有する押し下げヘッドからなる作動噴出部とを備える吐出器の封印機構であって、ノズルの封印機構として、固定吸引部の外周に脱落を防止して回転可能に設けられたリング部と、リング部に破断可能な連結部を介して延設された毟り部と、毟り部の先端に係合部とを備え、押し下げヘッドを押し下げて補助キャップに嵌合した後、毟り部の先端の係合部をノズル下部の凹部に係合するとともに、リング部を固定吸引部に回転不能に固定することを特徴とする。【選択図】  図１
2018016380.tif 000002
【特許請求の範囲】
【請求項１】
容器本体の口頸部外周に取り付けた装着キャップにより容器本体内に下端を垂下させた状態でシリンダを固定し、シリンダ上端に補助キャップを嵌着させた固定吸引部と、固定吸引部より上下動可能に突出し、ノズルを有する押し下げヘッドからなる作動噴出部とを備える吐出器の封印機構であって、
押し下げヘッドは、押し下げ状態のときに、補助キャップに嵌合可能に構成されるとともに、ノズルの下部に凹部を設け、
ノズルの封印機構として、固定吸引部の外周に脱落を防止して回転可能に設けられたリング部と、リング部に破断可能な連結部を介して延設された毟り部と、毟り部の先端に係合部とを備え、
押し下げヘッドを押し下げて補助キャップに嵌合した後、毟り部の先端の係合部をノズル下部の凹部に係合するとともに、リング部を固定吸引部に回転不能に固定することを特徴とする吐出器の封印機構。
【請求項２】
リング部に、係合筒を立ち上げ、上部に係合突条と、下部にリブを設け、係合突条を補助キャップに設けられた突条とで、アンダーカット係合して脱落を防止するとともに、リング部を回転可能とし、
毟り部先端の係合部をノズル下部に設けられた凹部に係合させる際に、リング部を押し上げて、リブを補助キャップに設けられたリブ凹部に嵌合させて、リング部を回転不能とすることを特徴とする請求項１記載の吐出器の封印機構。
【請求項３】
毟り部の下部に摘みが設けられていることを特徴とする請求項２に記載の吐出器の封印機構。
【請求項４】
装着キャップの封印機構として、装着キャップの下端に、破断連結部を介して封緘部を垂設し、封緘部の内側下部に係止爪部を設け、
係止爪部は、容器本体外面に抜け出し不能に乗り越え係合されていることを特徴とする請求項１〜３のいずれかに記載の吐出器の封印機構。
【発明の詳細な説明】
【技術分野】
【０００１】
本発明は、スプレーやポンプ容器などの吐出器の封印機構に関するものである。
【背景技術】
【０００２】
従来より、化粧品やシャンプーなどにはスプレーやポンプ容器などの吐出器が使用されており、このような吐出器においては、一般的にシリンダや吸い上げパイプ等の固定吸引部と、シリンダ内を摺動するピストンやノズルを有する噴出ヘッドを備えた作動噴出部から構成されている。
【０００３】
このような吐出器では、このままでは不用意に作動して液が漏出してしまうため、作動噴出部の噴出ヘッドを押さえ込んで、容器側に固定した状態で出荷されているが、それでも悪戯や、落下などにより噴出ヘッドが螺脱してしまう等の不都合が生じるおそれがあるため、吐出器に悪戯の回避と未使用を一見して判断できる封緘体を設けることが知られている（例えば、特許文献１参照）。
【先行技術文献】
【特許文献】
【０００４】
【特許文献１】特開２００５−３１３９４９号公報
【発明の概要】
【発明が解決しようとする課題】
【０００５】
上記特許文献１記載の封緘体は、ノズル先端に嵌着させるノズルプラグと、固定吸引部の外周に設けた環状基部とそれらを連結する連結帯から構成され、ノズルプラグをノズルから外さない限り、作動噴出部を作動できないようになっており、商品の信頼性が高いものとなっている。
しかしながら、ノズルプラグをノズルから外すのに大きな力が必要となったり、また、吐出器の構造が大きい場合には、ノズルと固定吸引部との間が大きく離れ、それに使用される封緘体の連結帯部分が長くなってしまい、連結帯に触れやすくなるとともに、美観上見苦しいという問題があった。
【０００６】
本発明は、上記問題を解決することを課題とし、よりコンパクトな封印機構を用いて、悪戯を回避し、吐出器の未使用を容易に判断することができるとともに、美観の上でも優れた吐出器の封印機構を提供することを目的とする。
【課題を解決するための手段】
【０００７】
本発明は、上記の課題を解決するため、吐出器の封印機構として、容器本体の口頸部外周に取り付けた装着キャップにより容器本体内に下端を垂下させた状態でシリンダを固定し、シリンダ上端に補助キャップを嵌着させた固定吸引部と、固定吸引部より上下動可能に突出し、ノズルを有する押し下げヘッドからなる作動噴出部とを備える吐出器の封印機構であって、押し下げヘッドは、押し下げ状態のときに、補助キャップに嵌合可能に構成されるとともに、ノズルの下部に凹部を設け、ノズルの封印機構として、固定吸引部の外周に脱落を防止して回転可能に設けられたリング部と、リング部に破断可能な連結部を介して延設された毟り部と、毟り部の先端に係合部とを備え、押し下げヘッドを押し下げて補助キャップに嵌合した後、毟り部の先端の係合部をノズル下部の凹部に係合するとともに、リング部を固定吸引部に回転不能に固定することを特徴とする構成を採用する。
【０００８】
吐出器の封印機構の具体的実施形態として、リング部に、係合筒を立ち上げ、上部に係合突条と、下部にリブを設け、係合突条を補助キャップに設けられた突条とで、アンダーカット係合して脱落を防止するとともに、リング部を回転可能とし、毟り部先端の係合部をノズル下部に設けられた凹部に係合させる際に、リング部を押し上げて、リブを補助キャップに設けられたリブ凹部に嵌合させて、リング部を回転不能とすることを特徴とする構成を採用し、また、毟り部の下部に摘みが設けられていることを特徴とする構成を採用し、さらに、装着キャップの封印機構として、装着キャップの下端に、破断連結部を介して封緘部を垂設し、封緘部の内側下部に係止爪部を設け、係止爪部は、容器本体外面に抜け出し不能に乗り越え係合されていることを特徴とする構成を採用する。
【発明の効果】
【０００９】
本発明の吐出器の封印機構は、上記構成を採用することにより、ノズルの封印機構によって、ノズルの下部の凹部に毟り部の係合部が嵌入されて固定されており、ノズルの回転が不能となり、無理やりノズルを回転すると、破断可能な連結部が破断して毟り部が外れてしまい、容易に不都合が発見されやすくなるため、悪戯が回避され、吐出器の未使用を一見して判断することができる。
また、装着キャップの封印機構によって、容器本体内の溶液が取り替えられたりすることなく、溶液自体も未使用であることを容易に判断することが可能となる。
【図面の簡単な説明】
【００１０】
【図１】本発明の実施例の封印機構をポンプ容器に装着した状態を示す図であり、（ａ）は半断面側面図であり、（ｂ）はノズルの封印機構の要部拡大図である。
【図２】（ａ）は、本発明の実施例の封印機構をポンプ容器に装着した状態の正面図であり、（ｂ）は、ノズルの封印機構の毟り部を取り外し、押し下げヘッドを立ち上げ、ポンプ容器の使用可能状態を示す半断面側面図である。
【図３】本発明の実施例のノズルの封印機構のみを示す図であり、（ａ）は上面図であり、（ｂ）は側面図である。
【図４】本発明の実施例のノズルの封印機構のセット前の状態を示す図であり、（ａ）は半断面側面図であり、（ｂ）は要部拡大図である。
【発明を実施するための形態】
【００１１】
次に、本発明の封印機構を、吐出器としてポンプ容器に適用した実施例を示した図面を参照して説明する。
【実施例】
【００１２】
図１、２において、Ａは内容液を充填した容器本体であり、Ｂは容器本体Ａに固定され、内容液を吸引するための固定吸引部であり、Ｃは固定吸引部Ｂに上下可動に装着され、吸引された内容液を噴出させるための作動噴出部であり、Ｄは封印機構であり、Ｄ１は作動噴出部Ｃに対するノズルの封印機構であり、Ｄ２は固定吸引部Ｂに対する装着キャップの封印機構である。なお、ポンプ容器自体は従来から周知のものを使用することができ、詳細な説明は省略する。ポンプ容器の一例として特開２０１５−８５９７２号公報の「液体噴出ポンプ」等がある。
【００１３】
容器本体Ａは、口頸部１を有し、口頸部１の外周面には上部に雄螺子２と下部にフランジ３を有する。
【００１４】
固定吸引部Ｂは、シリンダ４、装着キャップ５および補助キャップ６を備える。
装着キャップ５は、シリンダ４上部のフランジ部８でパッキン９を添えて容器本体Ａの口頸部１の上端を押さえた状態で挟持し、装着キャップ５の筒壁１０の内面側の雌螺子１１で、容器本体Ａの雄螺子２と螺合して固定されている。
さらに、シリンダ４の上部で、補助キャップ６は嵌着固定されている。
補助キャップ６には、案内筒１２があり、案内筒１２は、雄螺子を有し、後で述べる押し下げヘッド１７を押し下げて容器本体Ａ側に作動噴出部Ｃが固定される際に、押し下げヘッド１７の螺子筒２０が案内筒１２に螺着される。
また、補助キャップ６は周壁１３の内側上部に、後で述べるノズルの封印機構Ｄ１のリング部２３にアンダーカット係合するための複数の突条１４が設けられ、また下部にはリブ凹部１５が設けられている。
【００１５】
作動噴出部Ｃは、図示しないピストン部材とステムの他に、ノズル１６を有する押し下げヘッド１７を備え、ステムの上部が上筒部７となる。
押し下げヘッド１７は、頂壁１８と、頂壁１８の周縁部より垂設される側壁１９とを有する。
また、頂壁１８の下面から垂下される螺子筒２０を設け、螺子筒２０の螺子と上記案内筒１２の螺子とで螺着可能に構成され、押し下げヘッド１７の中央部には、頂壁１８の下面から縦筒２１が垂設され、上筒部７内に嵌着されている。
なお、本実施例では、押し下げヘッド１７と案内筒１２とを螺着させるものであるが、押し下げヘッド１７の螺子筒２０を、アンダーカット等を有する筒体に代えて、案内筒１２と嵌合させる構造とすることができる。
ノズル１６の下部には、凹部２２が設けられ、後で述べる封印機構Ｄ１の毟り部２５の先端の係合部２７が係合できるようになっている。凹部２２の位置は、なるべく押し下げヘッド１７の側壁１９の近くに設けることが望ましい。
【００１６】
本願発明の実施例の封印機構Ｄは、ノズルの封印機構Ｄ１と、装着キャップの封印機構Ｄ２からなっている。
図３で示すとおり、ノズルの封印機構Ｄ１は、リング部２３と、破断可能な連結部２４と連結部２４を介して設けられる毟り部２５からなり、連結部２４は、連結基部２４ａと破断部２４ｂからなり、本実施例では、破断部２４ｂは、連結基部２４ａ側がより細くなる２本の易破断性の連結片で構成されているが、破断部２４ｂ全体を、連結基部２４ａ側をより薄くする破断性の薄肉としてもよい。
毟り部２５の裏面には摘み２６が設けられ、毟り部２５の操作性をよくするとともに、毟り部２５の先端はノズル１６の下部の凹部２２に係合するための係合部２７となっている。
リング部２３の内周には、係合筒２８が立ち上げられており、係合筒２８の外周上部には、補助キャップ６の周壁１３の内側に設けられた突条１４にアンダーカット係合し得る係合突条２９が設けられ、また、係合筒２８の外側下部には縦方向のリブ３０が設けられている。
リブ３０は、補助キャップ６のリブ凹部１５に嵌合させて、リング部２３を回転不能に固定するときに用いられる。
【００１７】
装着キャップの封印機構Ｄ２は、装着キャップ５の筒壁１０下端から、複数の破断連結部３１と破断連結部３１を介して垂設されるリング状の封緘部３２とからなり、本実施例では、破断連結部３１は破断可能な複数の連結片からなるが、破断性の薄肉とすることも可能である。
また、封緘部３２の内側下部には係止爪部３３が設けられ、容器本体Ａの口頸部１のフランジ３に係合されている。
次に、本実施形態の使用態様と作用効果について図面を参照しながら説明する。
【００１８】
本発明の封印機構Ｄの装着方法について説明する。
まず、ノズルの封印機構Ｄ１のリング部２３と補助キャップ６とをアンダーカット係合させておく。それには図４に示すように、リング部２３の係合筒２８の係合突条２９を、補助キャップ６の２つの突条１４の間にアンダーカット係合させて、リング部２３は脱落防止される。この段階では、リング部２３のリブ３０は、補助キャップ６のリブ凹部１５に嵌合されておらず、リング部２３は回転可能な状態にある。
そして、ノズル１６を有する押し下げヘッド１７を取り外した状態の上筒部７の上から、装着キャップの封印機構Ｄ２の付いた装着キャップ５を被せ入れて、シリンダ４のフランジ部８の上に載せ、その上にノズルの封印機構Ｄ１のリング部２３がアンダーカット係合されて固定された補助キャップ６を被せ、補助キャップ６はシリンダ４と嵌着させておく。
【００１９】
次に、ノズル１６を有する押し下げヘッド１７を上筒部７に取り付け後、押し下げヘッド１７を押し下げ、回転して補助キャップ６の案内筒１２に螺着させたあと、リング部２３を回転させて、ノズルの封印機構Ｄ１の毟り部２５をノズル１６の下に持ってくる。
次に、図１に示すように、摘み２６を持ち、毟り部２５の先端の係合部２７をノズル１６の下に設けられた凹部２２に係合させ、リング部２３を押し上げ、リング部２３のリブ３０を補助キャップ６のリブ凹部１５に嵌合させる。リブ３０が補助キャップ６のリブ凹部１５に嵌合されて、リング部２３は回転不能となるとともに、ノズル１６を有する押し下げヘッド１７も固定される。
なお、リング部２３を押し上げ、リング部２３のリブ３０を補助キャップ６のリブ凹部１５に嵌合させてから、毟り部２５の先端の係合部２７をノズル１６の下部の凹部２２に係合させてもよい。
【００２０】
続いて、内容液が充填された容器本体Ａ内に、装着キャップ５、補助キャップ６が固定された固定吸引部Ｂのシリンダ４を押し込み、装着キャップ５を回転して容器本体Ａと螺合させていく。なお、装着キャップ５を回転する際には、ノズルの封印機構Ｄ１の連結部２４が破断しないようにする。
装着キャップ５を容器本体Ａに螺合する際、装着キャップの封印機構Ｄ２の封緘部３２に設けられた係止爪部３３は押し下げられたままであり、難なく、容器本体Ａの雄螺子２やフランジ３を乗り越えることができ、螺合が終わると、フランジ３を乗り越えた係止爪部３３はフランジ３に係止されて、図１に示すように、本願発明の封印機構Ｄのノズルの封印機構Ｄ１と装着キャップの封印機構Ｄ２の装着が完了する。
【００２１】
ノズルの封印機構Ｄ１によって、ノズル１６は毟り部２５の連結部２４を破断しない限り、動くことができず、固定される。そして、毟り部２５の係合部２７がノズル１６下部の凹部２２から外れていたり、あるいは、係合部２７が係合されたまま、無理やりノズル１６を動かした場合には、破断可能な連結部２４が破断してしまうため、不都合な状態を容易に判断することができる。
また、装着キャップの封印機構Ｄ２も、同様にむりやり装着キャップ５あるは容器本体Ａを螺合から外そうとすると、破断連結部３１が破断してしまうので、容器本体Ａを取り外して他の溶液に内容液を取り替えようとする悪戯を防ぐことができ、装着キャップの封印機構Ｄ２の破断連結部３１が破断されていない限り、新品のままと判断することができる。
【００２２】
本発明の封印機構Ｄは、ノズルの封印機構Ｄ１と装着キャップの封印機構Ｄ２との両方で補完し合うものであるが、装着キャップの封印機構Ｄ２については必須ではなく、装着キャップ５と容器本体Ａとを、螺合ではなくアンダーカット係合などによって抜け出しを防止することにより、装着キャップの封印機構Ｄ２のない構成とすることもできる。
【００２３】
ノズルの封印機構Ｄ１を解き、ポンプ容器を使用可能状態にするには、摘み２６を持って毟り部２５を引っ張りあげ、捻りを加えれば、破断可能な連結部２４が破断されるとともに、凹部２２から係合部２７が外れ、容易に毟り部２５を毟り取ることができる。
その状態になれば、ノズル１６とともに押し下げヘッド１７全体を自由に動かすことができ、押し下げヘッド１７を回転させて螺合を外すと押し下げヘッド１７が立ち上がり、図２（ｂ）のポンプ容器が使用可能な状態となる。
ここで、押し下げヘッド１７を押し下げて手を離せば、ポンプ機構により内容液はシリンダ４内から作動噴出部Ｃ内に吸い上げられ、ノズル１６内を通り、ノズル１６の先端部から内容液を取り出すことができる。
【００２４】
本発明の実施例の封印機構は、吐出器の例としてポンプ容器に装着されたが、スプレーや泡スプレーなど他の吐出器にもその封印機構として応用可能である。
【産業上の利用可能性】
【００２５】
本発明の封印機構は、ノズルの封印機構によって、よりコンパクトな構成で、不用意な押し下げヘッドの離脱を防ぎ、悪戯を防止できるとともに、一目で未使用と判断することができるので、商品としての信頼性を高めることができる。
さらに、装着キャップの封印機構を設けておけば、溶液の取り替えなどの悪戯が防止でき、内容液が新品であるかどうか、容易に判断可能となる。
本発明の封印機構は、大きな吐出器にも装着可能であり、シャンプーなど大型の吐出器の封印機構として好適である。
【符号の説明】
【００２６】
Ａ            容器本体
Ｂ            固定吸引部
Ｃ            作動噴出部
Ｄ            封印機構
Ｄ１          ノズルの封印機構
Ｄ２          装着キャップの封印機構
１            口頸部
２            雄螺子
３            フランジ
４            シリンダ
５            装着キャップ
６            補助キャップ
７            上筒部
８            フランジ部
９            パッキン
１０            筒壁
１１            雌螺子
１２            案内筒
１３            周壁
１４            突条
１５            リブ凹部
１６            ノズル
１７            押し下げヘッド
１８            頂壁
１９            側壁
２０            螺子筒
２１            縦筒
２２            凹部
２３            リング部
２４            連結部
２４ａ          連結基部
２４ｂ          破断部
２５            毟り部
２６            摘み
２７            係合部
２８            係合筒
２９            係合突条
３０            リブ
３１            破断連結部
３２            封緘部
３３            係止爪部
【図１】
2018016380.tif 000003
【図２】
2018016380.tif 000004
【図３】
2018016380.tif 000005
【図４】
2018016380.tif 000006